(57)【要約】【課題】ＤＬＮＡネットワークにおける電力消費を減らすための方法及び装置を提供すること。【解決手段】デジタルメディアサーバからメディアコンテンツを受信する過程と、前記受信されたメディアコンテンツに対する制御状態に応じて、ディスプレイ及び通信接続機器の電源を制御する過程とを含み、前記受信されたメディアコンテンツに対する制御状態に応じて、ディスプレイ機器及び通信接続機器の電源を制御する過程は、前記受信されたメディアコンテンツを再生（ｐｌａｙ）する途中であるとき、前記ディスプレイ機器をオン（ｏｎ）し、前記受信されたメディアコンテンツを停止（ｓｔｏｐ）するとき、前記ディスプレイ機器をオフ（ｏｆｆ）し、前記受信されたメディアコンテンツを一時停止（ｐａｕｓｅ）するとき、前記ディスプレイの明るさを暗く調節する。【選択図】図１
2011120238.tif 000002
【特許請求の範囲】
【請求項１】
ＤＬＮＡ（Ｄｉｇｉｔａｌ  Ｌｉｖｉｎｇ  Ｎｅｔｗｏｒｋ  Ａｌｌｉａｎｃｅ）ネットワークにおける電力消費を減らすためのデジタルメディアレンダラ動作方法であって、
デジタルメディアサーバからメディアコンテンツを受信する過程と、
前記受信されたメディアコンテンツに対する制御状態に応じて、ディスプレイ及び通信接続機器の電源を制御する過程と
を含むことを特徴とする方法。
【請求項２】
前記受信されたメディアコンテンツに対する制御状態に応じて、ディスプレイ機器及び通信接続機器の電源を制御する過程は、
前記受信されたメディアコンテンツを再生（ｐｌａｙ）する途中であるとき、前記ディスプレイ機器をオン（ｏｎ）し、
前記受信されたメディアコンテンツを停止（ｓｔｏｐ）するとき、前記ディスプレイ機器をオフ（ｏｆｆ）し、
前記受信されたメディアコンテンツを一時停止（ｐａｕｓｅ）するとき、前記ディスプレイの明るさを暗く調節することを特徴とする請求項１に記載の方法。
【請求項３】
前記受信されたメディアコンテンツに対する制御状態に応じて、ディスプレイ機器及び通信接続機器の電源を制御する過程は、
前記メディアコンテンツのバッファリングを完了した後、前記通信接続機器の電源を遮断することを特徴とする請求項１に記載の方法。
【請求項４】
前記受信されたメディアコンテンツに対する制御状態に応じて、ディスプレイ機器及び通信接続機器の電源を制御する過程は、
前記メディアコンテンツのバッファリングを完了した後、前記通信接続機器を省電力モード（ｐｏｗｅｒ  ｓａｖｉｎｇ  ｍｏｄｅ）に遷移することを特徴とする請求項１に記載の方法。
【請求項５】
前記受信されたメディアコンテンツに対する制御状態に応じて、ディスプレイ機器及び通信接続機器の電源を制御する過程は、
前記通信接続機器が解除されるとき、ユーザにポップアップウィンドウをディスプレイした後、前記通信接続機器の電源を遮断することを特徴とする請求項１に記載の方法。
【請求項６】
前記ディスプレイ機器は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＰＤＰ（Ｐｌａｓｍａ  Ｄｉｓｐｌａｙ  Ｐａｎｅｌ）のうちの何れか一つであることを特徴とする請求項１に記載の方法。
【請求項７】
前記通信接続機器は、無線ＬＡＮ（Ｗｉｒｅｌｅｓｓ  Ｌｏｃａｌ  Ａｒｅａ  Ｎｅｔｗｏｒｋ：ＷＬＡＮ）であることを特徴とする請求項１に記載の方法。
【請求項８】
前記受信されたメディアコンテンツがスライドコンテンツである場合、該当スライドコンテンツを全て受信完了した後、前記通信接続機器の電源を遮断することを特徴とする請求項１に記載の方法。
【請求項９】
ＤＬＮＡネットワークにおける電力消費を減らすためのデジタルメディアサーバ動作方法であって、
デジタルメディアレンダラ又はデジタルメディアプレーヤが接続状態であるか否かを確認する過程と、
前記デジタルメディアレンダラ又はデジタルメディアプレーヤが接続されていないか、又は前記デジタルメディアレンダラ又はデジタルメディアプレーヤから所定時間の間命令がないとき、接続を終了する過程と
を含むことを特徴とする方法。
【請求項１０】
前記デジタルメディアサーバの通信接続機器が解除されるとき、ユーザにポップアップウィンドウをディスプレイした後、前記通信接続機器の電源を遮断する過程をさらに含むことを特徴とする請求項９に記載の方法。
【請求項１１】
ＤＬＮＡネットワークにおける電力消費を減らすための方法であって、
デジタルメディアサーバから受信されたメディアコンテンツの制御状態に応じてディスプレイの電力を調節する過程と、
前記受信されたメディアコンテンツのバッファリングを完了した後、前記通信接続機器の電源を遮断するか、又は前記通信接続機器を省電力モードに遷移する過程と、
前記通信接続機器が解除されるとき、ユーザにポップアップウィンドウをディスプレイした後、前記通信接続機器の電源を遮断する過程と
を含むことを特徴とする方法。
【請求項１２】
前記デジタルメディアサーバから受信されたメディアコンテンツの制御状態に応じてディスプレイの電力を調節する過程は、
前記受信されたメディアコンテンツが再生（ｐｌａｙ）中であるとき、前記ディスプレイ機器をオン（ｏｎ）し、前記受信されたメディアコンテンツを停止（ｓｔｏｐ）するとき、前記ディスプレイ機器をオフ（ｏｆｆ）し、前記受信されたメディアコンテンツを一時停止（ｐａｕｓｅ）するとき、前記ディスプレイの明るさを暗く調節することを特徴とする請求項１１に記載の方法。
【請求項１３】
前記受信されたメディアコンテンツがスライドコンテンツである場合、該当スライドコンテンツを全て受信完了した後に、前記スライドコンテンツを再生し、前記通信接続機器の電源を遮断することを特徴とする請求項１１に記載の方法。
【請求項１４】
ＤＬＮＡネットワークにおける電力消費を減らすためのシステムであって、
デジタルメディアサーバから受信されたメディアコンテンツの制御状態に応じてディスプレイの電力を調節し、前記受信されたメディアコンテンツのバッファリングを完了した後、前記通信接続機器の電源を遮断するか、又は前記通信接続機器を省電力モードに遷移し、前記通信接続機器が解除されるとき、ユーザにポップアップウィンドウをディスプレイした後、前記通信接続機器の電源を遮断するデジタルメディアレンダラと、
前記レンダラが接続状態であるか否かを確認し、前記デジタルメディアレンダラ又はデジタルメディアプレーヤが接続されていないとき、接続を終了する前記デジタルメディアサーバと
を備えることを特徴とするシステム。
【請求項１５】
前記デジタルメディアサーバは、通信接続機器が解除されるとき、ユーザにポップアップウィンドウをディスプレイした後、前記通信接続機器の電源を遮断し、
前記デジタルメディアサーバは、前記デジタルメディアレンダラの状態に関係なく、前記デジタルメディアサーバと接続したディスプレイ機器をオフ（ｏｆｆ）することを特徴とする請求項１４に記載のシステム。
【発明の詳細な説明】
【技術分野】
【０００１】
本発明は、ＤＬＮＡ（Ｄｉｇｉｔａｌ  Ｌｉｖｉｎｇ  Ｎｅｔｗｏｒｋ  Ａｌｌｉａｎｃｅ）に関し、特に、ＤＬＮＡネットワークにおける電力消費を減らすための方法及び装置に関する。
【背景技術】
【０００２】
一般に、家庭では、個人用コンピュータ（Ｐｅｒｓｏｎａｌ  Ｃｏｍｐｕｔｅｒ：ＰＣ）などの情報機器、電話などの通信機器、ＴＶなどの放送機器、ＤＶＤ（Ｄｉｇｉｔａｌ  Ｖｉｄｅｏ  Ｄｉｓｃ）プレーヤやデジタルカメラなどを含むＡＶ（Ａｕｄｉｏ  ａｎｄ  Ｖｉｄｅｏ）機器などのような各種機器が使用されており、このような機器を自動的に制御するために、ホームオートメーション（ｈｏｍｅ−ａｕｔｏｍａｔｉｏｎ）が提案されて商用化されている。
【０００３】
前記ホームオートメーションは、初期に電話又は赤外線を利用して前記家電機器を別途に制御する水準であった。すなわち、初期のホームオートメーションは、各家電機器間の連係がなされていなかった。しかしながら、最近では、通信技術の発達によって家電機器間にネットワークを構築し、このネットワークを制御する制御機を具備して統合／管理するようにする方法が利用されている。このように、家電機器をネットワークで構築して統合／管理するシステムを「ホームネットワークシステム」という。
【０００４】
前記ホームネットワークシステムは、ホームゲートウェイ（ｈｏｍｅ  ｇａｔｅｗａｙ）又はホームサーバ（ｈｏｍｅ  ｓｅｒｖｅｒ）のような制御機に各種ネットワーク家電機器（例えば、ＴＶ、洗濯機、電子レンジ、ガスレンジ、オーディオ、エアコン、ボイラー等）、照明、ガスバルブ及び玄関門などを接続し、特定端末機（例えば、リモコン）を介して前記機器を制御する。
【０００５】
最近、このようなホームネットワークシステムの標準化が進行中であり、特に家庭内の情報家電機器（例えば、ＴＶ、ＶＴＲ、デジタルカメラ及びオーディオシステム等）を制御するための標準案である「ＤＬＮＡ（Ｄｉｇｉｔａｌ  Ｌｉｖｉｎｇ  Ｎｅｔｗｏｒｋ  Ａｌｌｉａｎｃｅ）」が台頭している。
【０００６】
特に、前記ＤＬＮＡは、家庭内の情報家電機器から提供されているすべてのコンテンツを共有することに焦点を合せている。例えば、前記ＤＬＮＡは、モバイル装置やコンピュータなどのような個人領域の装置に格納された多くのデジタルメディアコンテンツを家庭内の装置が共有するようにすることで、ユーザが前記デジタルメディアコンテンツを家庭内の位置及び装置に構わず便利に楽しめるようにするものである。
【０００７】
しかしながら、前記ＤＬＮＡサービスの利用中には、機器の画面表示装置（ｄｉｓｐｌａｙ）と無線ＬＡＮ（Ｗｉｒｅｌｅｓｓ  Ｌｏｃａｌ  Ａｒｅａ  Ｎｅｔｗｏｒｋ：ＷＬＮＡ）の活性化によって消費電流量が多い。特に、移動通信端末機のような携帯用機器は、画面表示装置とＲＦチップセットで消費する電力が極めて高く、これは携帯用機器の使用時間を短縮させる恐れがある。したがって、ＤＬＮＡネットワークにおける電力消費を減らすための方法及び装置が必要となる。
【先行技術文献】
【特許文献】
【０００８】
韓国特許出願第１０−２００９−００７５３９１号公報
【発明の概要】
【発明が解決しようとする課題】
【０００９】
本発明の目的は、ＤＬＮＡ（Ｄｉｇｉｔａｌ  Ｌｉｖｉｎｇ  Ｎｅｔｗｏｒｋ  Ａｌｌｉａｎｃｅ；以下、ＤＬＮＡとする）ネットワークにおける電力消費を減らすための方法を提供することにある。
【００１０】
本発明の他の目的は、ＤＬＮＡネットワークにおける電力消費を減らすための装置を提供することにある。
【課題を解決するための手段】
【００１１】
上記の目的を達成すべく、本発明の第１の見地によれば、ＤＬＮＡ（Ｄｉｇｉｔａｌ  Ｌｉｖｉｎｇ  Ｎｅｔｗｏｒｋ  Ａｌｌｉａｎｃｅ）ネットワークにおける電力消費を減らすためのデジタルメディアレンダラ動作方法であって、デジタルメディアサーバからメディアコンテンツを受信する過程と、前記受信されたメディアコンテンツに対する制御状態に応じて、ディスプレイ及び通信接続機器の電源を制御する過程とを含むことを特徴とする。
【００１２】
上記の目的を達成すべく、本発明の第２の見地によれば、ＤＬＮＡネットワークにおける電力消費を減らすためのデジタルメディアサーバ動作方法であって、デジタルメディアレンダラ又はデジタルメディアプレーヤが接続状態であるか否かを確認する過程と、前記デジタルメディアレンダラ又はデジタルメディアプレーヤが接続されていないか、又は前記デジタルメディアレンダラ又はデジタルメディアプレーヤから所定時間の間命令がないとき、接続を終了する過程とを含むことを特徴とする。
【００１３】
上記の目的を達成すべく、本発明の第３の見地によれば、ＤＬＮＡネットワークにおける電力消費を減らすための方法であって、デジタルメディアサーバから受信されたメディアコンテンツの制御状態に応じてディスプレイの電力を調節する過程と、前記受信されたメディアコンテンツのバッファリングを完了した後、前記通信接続機器の電源を遮断するか、又は前記通信接続機器を省電力モードに遷移する過程と、前記通信接続機器が解除されるとき、ユーザにポップアップウィンドウをディスプレイした後、前記通信接続機器の電源を遮断する過程とを含むことを特徴とする。
【００１４】
上記の目的を達成すべく、本発明の第４の見地によれば、ＤＬＮＡネットワークにおける電力消費を減らすためのシステムであって、デジタルメディアサーバから受信されたメディアコンテンツの制御状態に応じてディスプレイの電力を調節し、前記受信されたメディアコンテンツのバッファリングを完了した後、前記通信接続機器の電源を遮断するか、又は前記通信接続機器を省電力モードに遷移し、前記通信接続機器が解除されるとき、ユーザにポップアップウィンドウをディスプレイした後、前記通信接続機器の電源を遮断するデジタルメディアレンダラと、前記レンダラが接続状態であるか否かを確認し、前記デジタルメディアレンダラ又はデジタルメディアプレーヤが接続されていないとき、接続を終了する前記デジタルメディアサーバとを備えることを特徴とする。
【発明の効果】
【００１５】
本発明によれば、ＤＬＮＡネットワークにおいてＤＬＮＡを支援する機器の状態に応じて、画面表示装置と無線ＬＡＮチップセットの状態を制御することによって、消費電力を最小化できるという利点がある。
【図面の簡単な説明】
【００１６】
【図１】本発明に係るＤＬＮＡの構成図である。
【図２】本発明に係るＤＬＮＡの構成図である。
【図３】本発明の実施の形態に係るＤＬＮＡネットワークにおける電力消費を減らすためのデジタルメディアレンダラ（ｒｅｎｄｅｒｅｒ）の動作フローチャートである。
【図４】本発明の実施の形態に係るＤＬＮＡネットワークにおける電力消費を減らすためのデジタルメディアサーバの動作フローチャートである。
【図５】本発明の他の実施の形態に係るＤＬＮＡネットワークにおける消費電力を減らすためのデジタルメディアサーバの動作フローチャートである。
【図６】本発明の実施の形態に係るＤＬＮＡネットワークにおける消費電力を減らすためのデジタルメディアプレーヤ又はデジタルメディアレンダラの動作フローチャートである。
【図７】（ａ）〜（ｇ）は、本発明に係る携帯用機器（デジタルメディアサーバ、デジタルメディアレンダラ、デジタルメディアプレーヤ）におけるＤＬＮＡを設定するためのディスプレイ画面である。
【発明を実施するための形態】
【００１７】
以下、本発明の好ましい実施の形態を添付した図面を参照して詳細に説明する。下記で本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザー、操作者の意図又は慣例などによって変わりうる。したがって、その定義は、本明細書全般にわたる内容に基づいて行わなければならない。
以下、本発明は、ＤＬＮＡネットワークにおける電力消費を減らすための方法及び装置について説明する。
【００１８】
図１は、ＤＬＮＡの概念を説明するための図である。図１に示すように、ＤＬＡＮネットワークは、デジタルメディアサーバ（Ｄｉｇｉｔａｌ  Ｍｅｄｉａ  Ｓｅｒｖｅｒ：以下、ＤＭＳとする）１０、デジタルメディアコントローラ（Ｄｉｇｉｔａｌ  Ｍｅｄｉａ  Ｃｏｎｔｒｏｌｌｅｒ：以下、ＤＭＣとする）２０、デジタルメディアレンダラ（Ｄｉｇｉｔａｌ  Ｍｅｄｉａ  Ｒｅｎｄｅｒ：以下、ＤＭＲとする）３０から構成されることができる。これらの構成主体間には、有無線通信（例：無線ＬＡＮ）を行うが、前記デジタルメディアサーバ１０は、メディアコンテンツ（動画、画像ファイル等）を格納しており、前記メディアコンテンツは、リアルタイムに受信される放送信号でもありうる。前記デジタルメディアコントローラ２０は、前記デジタルメディアサーバ１０を検索してメディアコンテンツを探索する。以後、前記デジタルメディアレンダラ３０に該当メディアコンテンツに対する再生を要請する。以後、前記デジタルメディアレンダラ３０は、前記デジタルメディアコントローラ２０により要請されたメディアコンテンツを提供してくれることを前記デジタルメディアサーバ１０に要請する。以後、前記デジタルメディアサーバ１０が該当メディアコンテンツを前記デジタルメディアレンダラ３０に送信し、前記デジタルメディアレンダラ３０は、提供されたメディアコンテンツを再生する。
【００１９】
ＤＬＮＡ標準は、以上のように三つの構成主体で具現化されることができるが、図２のように、前記デジタルメディアプレーヤ（Ｄｉｇｉｔａｌ  Ｍｅｄｉａ  Ｐｌａｙｅｒ：ＤＭＰ）２００及び前記デジタルメディアサーバ（Ｄｉｇｉｔａｌ  Ｍｅｄｉａ  Ｓｅｒｖｅｒ：ＤＭＳ）２１０という２種類の構成主体でも具現化されることができる。前記デジタルメディアプレーヤ２００は、前記図１の前記デジタルメディアレンダラ３０及びデジタルメディアコントローラ２０として機能し、前記デジタルメディアサーバ２１０は、前記図１のデジタルメディアサーバ１０と同一である。また、前記デジタルメディアプレーヤ２００と前記デジタルメディアサーバ２１０との間には、有無線通信を行う。
【００２０】
図３は、本発明の実施の形態に係るＤＬＮＡネットワークにおける電力消費を減らすためのデジタルメディアレンダラの動作フローチャートを示している。ＤＬＮＡネットワークにおける電力消費を減らすためのデジタルメディアコントローラ（ＤＭＣ）２０の動作は、前記デジタルメディアレンダラ動作と同様であるため省略する。
【００２１】
前記図３に示すように、デジタルメディアレンダラは、ステップ３００にて一時停止（ｐａｕｓｅ）、再生（ｐｌａｙ）、停止（ｓｔｏｐ）のうち、どの状態であるかを判断する。例えば、図１において前記デジタルメディアレンダラ３０は、前記デジタルメディアコントローラ２０の制御下で、前記デジタルメディアサーバ１０から提供されたコンテンツを再生（ｐｌａｙ）している途中であるか、又は前記デジタルメディアサーバ１０から提供されたコンテンツを再生途中に一時停止（ｐａｕｓｅ）させたか、又は前記デジタルメディアサーバ１０から提供されたコンテンツを再生途中に停止（ｓｔｏｐ）させた状態であるかを判断する。
【００２２】
前記デジタルメディアレンダラは、ステップ３００にて一時停止（ｐａｕｓｅ）状態である場合、ステップ３０２に進んで一時停止状態が一定時間持続する場合に、ＬＣＤ（Ｌｉｑｕｉｄ  Ｃｒｙｓｔａｌ  Ｄｉｓｐｌａｙ）の明るさを暗く調整して（ＬＣＤ  ｄｉｍｉｎｇ）、電力消費を最小化する。
【００２３】
前記デジタルメディアレンダラは、ステップ３００にて再生（ｐｌａｙ）状態である場合、ステップ３０４に進んでＬＣＤを動作させる（ＬＣＤ  ＯＮ）。すなわち、前記デジタルメディアレンダラは、ＬＣＤを動作させ続けて再生されるコンテンツをディスプレイする。
【００２４】
前記デジタルメディアレンダラは、ステップ３００にて停止（ｓｔｏｐ）状態である場合、ステップ３０６に進んでＬＣＤをオフ（ｏｆｆ）させて消費電力を減らし、該当モードに進む。前記該当モードで前記デジタルメディアレンダラは、前記デジタルメディアコントローラから制御信号を待機する。
【００２５】
以後、前記デジタルメディアレンダラは、ステップ３０８にてバッファリングが進行中であるか否かを確認する。換言すれば、前記デジタルメディアレンダラは、前記デジタルメディアサーバから該当コンテンツを受信してバッファリングしているか否かを確認する。
【００２６】
仮に、バッファリング中である場合、すなわち前記デジタルメディアサーバから該当コンテンツを受信する際、ステップ３１６に進む。すなわち、前記デジタルメディアレンダラは、無線ＬＡＮの正常接続状態を維持して無線ＬＡＮを基盤に前記デジタルメディアサーバからコンテンツを受信してバッファリングする。
【００２７】
仮に、バッファリング中でないと、すなわち前記デジタルメディアサーバから該当コンテンツを受信完了するとき、ステップ３１０にてデジタルメディアプレーヤ（ＤＭＰ）であるか否かを確認する。
【００２８】
仮に、ＤＭＰの場合、ステップ３１４に進んで前記デジタルメディアサーバから該当コンテンツを送信する無線ＬＡＮの電源を遮断する。換言すれば、ＤＭＰで動作する場合、バッファリングが完了すると、無線ＬＡＮの電源を遮断して消費電流を減らす。仮に、前記デジタルメディアサーバに命令（Ｃｏｍｍａｎｄ）を要請する際、無線ＬＡＮを再接続した後、命令を送信する。
【００２９】
仮に、ＤＭＰではない場合、すなわちデジタルメディアレンダラと前記デジタルメディアコントローラとの役割が分離されている場合に、ステップ３１２に進んで前記デジタルメディアレンダラは、無線ＬＡＮを省電力モード（ｐｏｗｅｒ  ｓａｖｅ  ｍｏｄｅ）に遷移させ、該当モードに進入する。仮に、ＤＭＰではない場合、無線ＬＡＮを省電力モードに遷移させる理由は、デジタルメディアレンダラがデジタルメディアサーバから該当コンテンツを受信しなくても、デジタルメディアコントローラが制御信号を送信できるためである。また、バッファリングが完了した後に再生（Ｐｌａｙ）状態にするのは、無線ＬＡＮを省電力モードに維持するためである。
【００３０】
以後、前記デジタルメディアレンダラは、ステップ３１６にて前記デジタルメディアレンダラ又は前記デジタルメディアサーバと無線ＬＡＮ接続が解除された場合（例えば、前記デジタルメディアレンダラ又は前記デジタルメディアサーバと距離が遠ざかって、これ以上無線ＬＡＮ接続が困難な場合）、ステップ３１８にて再生状態であるか、又は一時停止状態である場合、ユーザにポップアップ（Ｐｏｐ  ｕｐ）で無線ＬＡＮ状態を知らせる。
【００３１】
以後、前記デジタルメディアレンダラは、ステップ３２０にてローミング（Ｒｏａｍｉｎｇ）されずに一定時間が経過する場合、無線ＬＡＮの電源を遮断して消費電流を減らす。
【００３２】
これに対し、前記デジタルメディアレンダラは、ステップ３１６にて、前記デジタルメディアレンダラ又は前記デジタルメディアサーバと無線ＬＡＮ接続が解除されない場合、無線ＬＡＮに電源を供給し続けるか、又は省電力モードを維持し続ける。
【００３３】
図４は、本発明の実施の形態に係るＤＬＮＡネットワークにおける電力消費を減らすためのデジタルメディアサーバの動作フローチャートを示している。
【００３４】
前記図４に示すように、デジタルメディアサーバは、ステップ４００にてユーザの動作がない場合、ステップ４０２にてデジタルメディアレンダラ及びデジタルメディアコントローラ又はデジタルメディアプレーヤの状態に関わらずＬＣＤをオフ（ｏｆｆ）させて消費電力を減らす。具現によって、デジタルメディアサーバが動作中である場合、他の通知方法（ＬＥＤの周期的な点滅、画面の上段に動作中であることを指示する）で動作中であることを表示できる。
【００３５】
仮に、デジタルメディアサーバは、ステップ４００にてユーザの動作があると、ステップ４０４に進む。
【００３６】
以後、前記デジタルメディアサーバは、ステップ４０４にて、デジタルメディアプレーヤ又はデジタルメディアレンダラが該当コンテンツをバッファリングするか否かを確認する。換言すれば、前記デジタルメディアサーバは、前記デジタルメディアサーバに該当コンテンツを送信しているか否かを確認する。
【００３７】
仮に、バッファリング中である場合、すなわち前記デジタルメディアサーバに該当コンテンツを送信すると、ステップ４０８に進む。すなわち、前記デジタルメディアサーバは、無線ＬＡＮの正常接続状態を維持して、無線ＬＡＮを基盤に前記デジタルメディアレンダラ又はデジタルメディアプレーヤに該当コンテンツを送信する。
【００３８】
仮に、バッファリング中でないと、すなわち前記デジタルメディアレンダラ又はデジタルメディアプレーヤに該当コンテンツを送信完了するとき、ステップ４０６にて前記デジタルメディアサーバから該当コンテンツを送信する無線ＬＡＮを省電力モードに進入させる。
【００３９】
以後、前記デジタルメディアサーバは、ステップ４０８にて、前記デジタルメディアレンダラ、前記デジタルコントローラ又はデジタルメディアプレーヤと無線ＬＡＮ接続が解除される場合（例えば、前記デジタルメディアレンダラ又は前記デジタルメディアコントローラと距離が遠ざかって、これ以上無線ＬＡＮ接続が困難な場合）、ステップ４１０にてユーザにポップアップ（Ｐｏｐ  ｕｐ）ウィンドウで無線ＬＡＮ状態を知らせる。
【００４０】
以後、前記デジタルメディアサーバは、ステップ４１２にてローミング（Ｒｏａｍｉｎｇ）されずに一定時間が経過する場合、無線ＬＡＮの電源を遮断して消費電流を減らす。
【００４１】
これに対し、前記デジタルメディアサーバは、ステップ４０８にて、前記デジタルメディアレンダラ、前記デジタルメディアコントローラと無線ＬＡＮ接続が解除されない場合、無線ＬＡＮに電源を供給し続けるか、又は省電力モードを維持し続ける。
【００４２】
一方、デジタルメディアサーバ（ＤＭＳ）は、デジタルメディアレンダラ（ＤＭＲ）がネットワークに接続が解除されたか否かが分からないので、常に待機モードに遷移する。したがって、前記デジタルメディアサーバ（ＤＭＳ）は消費電力が発生する恐れがある。
【００４３】
本発明では、デジタルメディアサーバ（ＤＭＳ）が待機モードで消費電力が発生するのを防止するための方法を、下記の図５のように提案する。
【００４４】
図５は、本発明の実施の形態に係るＤＬＮＡネットワークにおける消費電力を減らすためのデジタルメディアサーバの動作フローチャートを示している。
【００４５】
前記図５に示すように、前記デジタルメディアサーバは、ステップ５００にて少なくとも一つ以上のデジタルメディアレンダラがＤＬＮＡネットワークに接続されているか否かを確認する。
【００４６】
以後、前記デジタルメディアサーバは、ステップ５０２にて少なくとも一つ以上のデジタルメディアレンダラがＤＬＮＡネットワークに接続されていないとき、ステップ５０４に進んで一定時間後にユーザにポップアップウィンドウを介して知らせる。すなわち、現在再生中であったＤＭＲの状態を確認して、ＤＭＲが接続状態ではない場合、又はＤＭＲから特定時間の間に命令がない場合、自動的に接続終了することで消費電流を減らす。
【００４７】
仮に、ステップ５０２にて少なくとも一つ以上のデジタルメディアレンダラがＤＬＮＡネットワークに接続されているとき、ステップ５０６に進んで待機モードに遷移する。
【００４８】
具現に当って、画像形態のコンテンツである場合、バッファリング時間及び無線ＬＡＮの利用時間を短縮するためのスライドコンテンツ（Ｓｌｉｄｅ  ｃｏｎｔｅｎｔｓ）を全てダウンロードした後、スライドショー（Ｓｌｉｄｅ  Ｓｈｏｗ）を実行することができる。以後、無線ＬＡＮの電源を遮断して消費電力を減らすことができる。
【００４９】
図６は、本発明の実施の形態に係るＤＬＮＡネットワークにおける消費電力を減らすためのデジタルメディアプレーヤ又はデジタルメディアレンダラの動作フローチャートを示している。
【００５０】
前記図６に示すように、デジタルメディアプレーヤ又はデジタルレンダラは、ステップ６００にてデジタルメディアサーバから受信するコンテンツ画像のようなスライドコンテンツである場合、ステップ６０２にてスライドコンテンツを全てダウンロードする。このとき、デジタルメディアプレーヤ又はデジタルレンダラは、スライドコンテンツを全て受信するまでスライドショーを実行しない。
【００５１】
以後、デジタルメディアプレーヤ又はデジタルレンダラは、ステップ６０４にてスライドコンテンツを全て受信した後、スライドショーを実行し、ステップ６０６にて無線ＬＡＮの電源を遮断する。
【００５２】
図７ａ〜ｇは、本発明に係る携帯用機器（デジタルメディアサーバ、デジタルメディアレンダラ、デジタルメディアプレーヤ）におけるＤＬＮＡを設定するためのディスプレイ画面を示している。
【００５３】
前記図７ａは、携帯用機器のネットワーク選択画面で、前記図７ｂは、デジタルメディアサーバとコンテンツ選択設定画面で、前記図７ｃは、携帯用機器のサーバ選択画面で、前記図７ｄは、携帯用機器のコンテンツ（音楽（Ｍｕｓｉｃ）、画像（Ｐｉｃｔｕｒｅｓ）、ビデオ（Ｖｉｄｅｏｓ））選択画面で、前記図７ｅは、携帯用機器のファイル選択画面で、前記図７ｅは、レンダラ（ＤＭＰ又はＤＭＲ）選択画面で、前記図７ｇは、レンダラにおける再生画面を示している。
【００５４】
図３乃至図７において、携帯用機器の画面表示装置としてＬＣＤを例に挙げて説明したが、プラズマディスプレイパネル（Ｐｌａｓｍａ  Ｄｉｓｐｌａｙ  Ｐａｎｅｌ：ＰＤＰ）、発光ダイオード（Ｌｉｇｈｔ  Ｅｍｉｔｔｉｎｇ  Ｄｉｏｄｅ：ＬＥＤ）などにも適用可能であることは勿論である。
【００５５】
上述したように、ＤＬＮＡネットワークにおいてＤＬＮＡを支援する機器の状態に応じて、画面表示装置と無線ＬＡＮチップセットの状態を制御することによって、消費電力を最小化できるという利点がある。
【００５６】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、後述する特許請求の範囲だけでなく、特許請求の範囲と均等なものによって決まらねばならない。
【符号の説明】
【００５７】
１０  デジタルメディアサーバ
２０  デジタルメディアコントローラ
３０  デジタルメディアレンダラ
【図１】
2011120238.tif 000003
【図２】
2011120238.tif 000004
【図３】
2011120238.tif 000005
【図４】
2011120238.tif 000006
【図５】
2011120238.tif 000007
【図６】
2011120238.tif 000008
【図７】
2011120238.tif 000009